(57)【要約】【課題】ホースの口径が種々異なるドレンホースを簡単に接続でき、接続したドレンホースが容易に外れることのないドレンホース接続具を提供する。【解決手段】ドレン排水溝の上流側の端面に取付けられるドレンホース接続具１１であって、底壁１ａと、芯材１ｂを囲み且つドレン排水溝の下流側に向けてドレン水を排出する下流側開放部１ｃが設けられた囲み壁１ｄと、この囲み壁の内側に位置して底壁１ａから立設され且つドレンホースの先端部がその内部に通水空隙を確保して外嵌挿される上記芯材１ｂとを具備した接続具とする。芯材１ｂの外径より大きい内径を有するドレンホースであれば、どのような太さのものでも接続できる【選択図】図１
2009243818.tif 000002
【特許請求の範囲】
【請求項１】
ドレン排水溝の上流側の端面に取付けられるドレンホース接続具であって、底壁と、芯材を囲み且つドレン排水溝の下流側に向けてドレン水を排出する下流側開放部が設けられた囲み壁と、この囲み壁の内側に位置して底壁から立設され且つドレンホースの先端部がその内部に通水空隙を確保して外嵌挿される上記芯材と、を具備したことを特徴とするドレンホース接続具。
【請求項２】
囲み壁の下部から芯材に至る突出部が突設されていることを特徴とする請求項１に記載のドレンホース接続具。
【請求項３】
ドレン排水溝の上流側の溝底面に取付けられるドレンホース接続具であって、芯材を囲み且つドレン排水溝の下流側にドレン水を排出する下流側開放部が設けられた囲み壁と、この囲み壁の下部から内側に突設された突出部と、この突出部の先端から立設され且つドレンホースの先端部がその内部に通水空隙を確保して外嵌挿される上記芯材と、を具備したことを特徴とするドレンホース接続具。
【請求項４】
囲み壁の下端内側に底壁が形成されていることを特徴とする請求項２に記載のドレンホース接続具。
【請求項５】
ドレン排水溝の上流側の溝底面に取付けられるドレンホース接続具であって、芯材を囲み且つドレン排水溝の下流側にドレン水を排出する下流側開放部が設けられた囲み壁と、この囲み壁の下端内側に形成された底壁と、囲み壁の内側に位置して底壁から立設され且つドレンホースの先端部がその内部に通水空隙を確保して外嵌挿される上記芯材と、を具備したことを特徴とするドレンホース接続具。
【請求項６】
囲み壁の両外側面の下部に、ドレン排水溝の両側堤部の内側面にドレン排水溝の長さ方向に形成された凹条に対して嵌合される凸部が形成されていることを特徴とする請求項３ないし請求項５のいずれかに記載のドレンホース接続具。
【請求項７】
芯材との間にドレンホースの先端部の周壁を挟持する挟持片が底壁から立設されていることを特徴とする請求項１、請求項２、請求項４、請求項５のいずれかに記載のドレンホース接続具。
【請求項８】
芯材との間にドレンホースの先端部の周壁を挟持する挟持片が突出部から立設されていることを特徴とする請求項２ないし請求項４のいずれかに記載のドレンホース接続具。
【請求項９】
底壁の上面が、その上流側から囲み壁の下流側開放部に向かって徐々に低くなるように傾斜していることを特徴とする請求項１、請求項２、請求項４、請求項５のいずれかに記載のドレンホース接続具。
【請求項１０】
囲み壁の下流側開放部が形成された側の底壁の端部から、底壁の上面と面一に傾斜する上面を備えた舌部が延設されていることを特徴とする請求項９に記載のドレンホース接続具。
【請求項１１】
芯材が下拡がり形状であることを特徴とする請求項１ないし請求項１０のいずれかに記載のドレンホース接続具。
【請求項１２】
芯材が一枚の板片からなることを特徴とする請求項１ないし請求項１０のいずれかに記載のドレンホース接続具。
【請求項１３】
一枚の板片が、縦長の台形もしくは縦長の三角形の形状を有するか、又は、この台形もしくは三角形の斜辺に複数の段部を形成した形状を有することを特徴とする請求項１２に記載のドレンホース接続具。
【請求項１４】
芯材が、放射状に集束されて一体に形成された３枚以上の板片からなることを特徴とする請求項１ないし請求項１０のいずれかに記載のドレンホース接続具。
【請求項１５】
各板片が、一辺が垂直辺とされた縦長の台形もしくは一辺が垂直辺とされた縦長の直角三角形の形状を有するか、又は、この台形もしくは直角三角形の斜辺に複数の段部を形成した形状を有し、垂直辺を中心として放射状に集束されて一体に形成されていることを特徴とする請求項１４に記載のドレンホース接続具。
【請求項１６】
芯材が、上流側に傾斜して立設されていることを特徴とする請求項１ないし請求項１０に記載のドレンホース接続具。
【発明の詳細な説明】
【技術分野】
【０００１】
本発明は、ドレンホースの先端部をドレン排水溝に接続するためのドレンホース接続具に関する。
【背景技術】
【０００２】
近年、冷房器や空調器から出るドレン水は、屋外のベランダや廊下などの床面に設けたドレン排水溝の上流側端部に、冷房機や空調機から引き出したドレンホースを接続することにより、ドレン排水溝を通じて排水処理することが多くなってきた。
【０００３】
このようにドレンホースをドレン排水溝に接続するための接続（固定）具として、ドレン排水溝の上流側端部に取付けられるブロック体にドレンホースの先端部を挿入する孔を設けたもの（特許文献１）や、ドレン排水溝に取付けられる台座上にドレンホースの先端部を抱持するホースクリップを設けたもの（特許文献２）が知られている。
【特許文献１】特開平１０−４６７６２号公報
【特許文献２】特開２００２−１１５２９３号公報
【発明の開示】
【発明が解決しようとする課題】
【０００４】
しかしながら、特許文献１のようにブロック体の孔にドレンホースを挿入するタイプの接続具や、特許文献２のようにホースクリップでドレンホースを抱持するタイプの接続具の場合は、ドレンホースの外径寸法が異なると、それに適合した内径寸法の孔やホースクリップを有する接続具に変更する必要があるため、孔やホースクリップの内径寸法が種々異なる接続具を揃えなければならないという問題があった。
【０００５】
かといって、ドレンホースの外径寸法に関係なく一種類の接続具で対応しようとすると、現存する最大外径のドレンホースに適合する内径寸法の孔やホースクリップを備えた接続具としなければならないため、外径寸法の小さいドレンホースを接続すると、簡単にドレンホースが外れて適切にドレン水をドレン排水溝に流すことができないという問題が生じる。
【０００６】
本発明は、上記の問題に対処すべくなされたもので、その解決しようとする課題は、ホースの口径が種々異なるドレンホースを簡単に接続することができ、接続したドレンホースが容易に外れることのないドレンホース接続具を提供することにある。
【課題を解決するための手段】
【０００７】
上記課題を解決するため、本発明に係る第一のドレンホース接続具は、ドレン排水溝の上流側の端面に取付けられるドレンホース接続具であって、底壁と、芯材を囲み且つドレン排水溝の下流側に向けてドレン水を排出する下流側開放部が設けられた囲み壁と、この囲み壁の内側に位置して底壁から立設され且つドレンホースの先端部がその内部に通水空隙を確保して外嵌挿される上記芯材と、を具備したことを特徴とするものである。
この第一のドレンホース接続具においては、囲み壁の下部から芯材に至る突出部が突設されていてもよい。
【０００８】
また、本発明に係る第二のドレンホース接続具は、ドレン排水溝の上流側の溝底面に取付けられるドレンホース接続具であって、芯材を囲み且つドレン排水溝の下流側にドレン水を排出する下流側開放部が設けられた囲み壁と、この囲み壁の下部から内側に突設された突出部と、この突出部の先端から立設され且つドレンホースの先端部がその内部に通水空隙を確保して外嵌挿される上記芯材と、を具備したことを特徴とするものである。
この第二のドレンホース接続具においては、囲み壁の下端内側に底壁が形成されていてもよい。
【０００９】
更に、本発明に係る第三のドレンホース接続具は、ドレン排水溝の上流側の溝底面に取付けられるドレンホース接続具であって、芯材を囲み且つドレン排水溝の下流側にドレン水を排出する下流側開放部が設けられた囲み壁と、この囲み壁の下端内側に形成された底壁と、囲み壁の内側に位置して底壁から立設され且つドレンホースの先端部がその内部に通水空隙を確保して外嵌挿される上記芯材と、を具備したことを特徴とするものである。
【００１０】
第二及び第三のドレンホース接続具においては、囲み壁の両外側面の下部に、ドレン排水溝の両側堤部の内側面にドレン排水溝の長さ方向に形成された凹条に対して嵌合される凸部を形成することが好ましい。
【００１１】
そして、第一と第三のドレンホース接続具、及び、底壁が形成された第二のドレンホース接続具においては、芯材との間にドレンホースの先端部の周壁を挟持する挟持片を底壁から立設することが好ましく、また、突出部が形成された第一のドレンホース接続具、及び、第三のドレンホース接続具においては、芯材との間にドレンホースの先端部の周壁を挟持する挟持片を突出部から立設することが好ましい。
【００１２】
更に、第一と第三のドレンホース接続具、及び、底壁が形成された第二のドレンホース接続具においては、底壁の上面が、その上流側から囲み壁の下流側開放部に向かって徐々に低くなるように傾斜していることが好ましく、また、囲み壁の下流側開放部が形成された側の底壁の端部から、底壁の上面と面一に傾斜する上面を備えた舌部を延設することが好ましい。
【００１３】
上記の第一、第二、第三のドレンホース接続具においては、芯材が下拡がり形状であることが好ましい。そして、芯材が一枚の板片からなり、この一枚の板片が、縦長の台形もしくは縦長の三角形の形状を有するか、又は、この台形もしくは三角形の斜辺に複数の段部を形成した形状を有することが好ましい。
【００１４】
また、上記の第一、第二、第三のドレンホース接続具においては、芯材が、放射状に集束されて一体に形成された３枚以上の板片からなるものであって、各板片が、一辺が垂直辺とされた縦長の台形もしくは一辺が垂直辺とされた縦長の直角三角形の形状を有するか、又は、この台形もしくは直角三角形の斜辺に複数の段部を形成した形状を有し、垂直辺を中心として放射状に集束されて一体に形成されていることが好ましい。
【００１５】
更に、上記の第一、第二、第三のドレンホース接続具においては、芯材が上流側に傾斜して立設されていることも好ましい。
【発明の効果】
【００１６】
本発明の第一のドレンホース接続具は、ドレン排水溝の上流側端面に取付けられ、その底壁から立設された芯材に、ドレンホースの先端部がその内部に通水空隙を確保して外嵌挿される。このようにドレンホースが芯材に外嵌挿されて接続されるドレーンホース接続具は、芯材の外径より大きい内径を有するドレンホースであれば、どのような太さのものでも接続することができる。そして、接続されたドレンホースの内部を流下するドレン水は、ホース先端部の内部に確保された通水空隙を通ってドレンホース接続具の底壁上面に流れ落ち、囲み壁の下流側開放部からドレン排水溝に排水され、囲み壁によってドレン水の流出や飛散が防止される。
また、囲み壁の下部から芯材に至る突出部が突設された第一のドレンホース接続具は、この突出部にドレンホースの先端が係止され、ドレンホース接続具の底壁の上面とドレンホースの先端との隙間が確保されるので、ドレン水の排水が妨げられる心配もない。
【００１７】
本発明の第二のドレンホース接続具は、ドレン排水溝の上流側の溝底面に取付けられ、囲み壁の内側に突き出す突出部の先端から立設された芯材に、ドレンホースの先端部がその内部に通水空隙を確保して外嵌挿される。この第二のドレンホース接続具も、ドレンホースの先端部が芯材に外嵌挿されて接続されるので、芯材の外径より大きい内径を有するドレンホースであれば、どのような太さのものでも接続することができる。そして、接続されたドレンホースの内部を流下するドレン水は、ホース先端部の内部に確保された通水空隙を通ってドレン排水溝の溝底面に流れ落ち、囲み壁の下流側開放部からドレン排水溝の下流側へ排水されると共に、囲み壁によってドレン排水溝の上流側への逆流及び側方への飛散が防止される。また、囲み壁の内側に突設された突出部にドレンホースの先端が係止され、ドレン排水溝の溝底面とドレンホースの先端との隙間が確保されるので、ドレン水の排水が妨げられることもない。
更に、囲み壁の下端内側に底壁が形成された第二のドレンホース接続具は、後述するように底壁に傾斜をつけることによって、ドレン水をドレン排水溝の下流側にスムーズに排水することができる。
【００１８】
本発明の第三のドレンホース接続具は、ドレン排水溝の上流側の溝底面に取付けられ、囲み壁の下端内側の底壁から立設された芯材に、ドレンホースの先端部がその内部に通水空隙を確保して外嵌挿される。この第三のドレンホース接続具も、ドレンホースの先端部が芯材に外嵌挿されて接続されるので、芯材の外径より大きい内径を有するドレンホースであれば、どのような太さのものでも接続することができる。そして、接続されたドレンホースの内部を流下するドレン水は、ホース先端部の内部に確保された通水空隙を通ってドレンホース接続具の底壁に流れ落ち、囲み壁の下流側開放部からドレン排水溝の下流側へ排水されると共に、囲み壁によってドレン排水溝の上流側への逆流及び側方への飛散が防止される。
【００１９】
第二及び第三のドレンホース接続具において、囲み壁の両外側面の下部に、ドレン排水溝の両側堤部の内側面にドレン排水溝の長さ方向に形成された凹条に対して嵌合される凸部を形成したものは、囲み壁の両外側面の凸部をドレン排水溝の両側堤部の凹条に嵌合させることによって、ドレンホース接続具をドレン排水溝に接着剤で接着固定しなくても、上方に外れないように取付けることができる。また、ドレン排水溝の凹条がドレンホース接続具の凸条で閉塞されるので、ドレン水がドレン排水溝の凹条を通って上流側へ流出する心配もなくなる。
【００２０】
第一と第三のドレンホース接続具、及び、底壁が形成された第二のドレンホース接続具において、芯材との間にドレンホースの先端部の周壁を挟持する挟持片を底壁から立設したものや、突出部が形成された第一のドレンホース接続具、及び、第三のドレンホース接続具において、芯材との間にドレンホースの先端部の周壁を挟持する挟持片を突出部から立設したものは、いずれも、芯材と挟持片とでドレンホース先端部の周壁を挟持させることによって、ドレンホース先端部の横方向の移動を阻止してドレンホース先端部の接続安定性を向上させることができ、また、ドレンホースに上向きの引抜き力が作用した場合でも、芯材と挟持片との挟圧力によってドレーンホースの先端部が芯材から容易に引き抜かれないようにすることができる。
【００２１】
第一と第三のドレンホース接続具、及び、底壁が形成された第二のドレンホース接続具において、底壁の上面が、その上流側から囲み壁の下流側開放部に向かって徐々に低くなるように傾斜しているものは、ドレンホースから底壁に流れ落ちたドレン排水が、底壁の傾斜した上面を囲み壁の下流側開放部に向かってスムーズに流れ、下流側開放部からドレン排水溝に排水される。そして、囲み壁の下流側開放部が形成された側の底壁の端部から、底壁の上面と面一に傾斜する上面を備えた舌部が延設されたものは、ドレンホース接続具の底面とドレン排水溝の溝底面との間に段差がある場合には、その段差が舌部によって減少もしくは解消されることになり、特に、第一のドレンホース接続具において舌部が延設されている場合は、第一のドレンホース接続具をドレン排水溝の端面に接着剤で接着するときに、接着剤が舌部で押さえられて接着部分の上方に隆起状にはみだすことがなくなるので、ドレンホース接続具からドレン排水溝へのドレン水の流れがスムーズになる。
【００２２】
本発明の第一、第二、第三のドレンホース接続具において、芯材を下拡がり形状としたものは、外嵌挿されるドレンホースの内径に合致した芯材の外径のところまでドレンホースの先端部が外嵌挿されて横方向及び下方向に移動しないように接続固定され、ドレンホースの先端と、ドレンホース接続具の底壁又はドレン排水溝の溝底面との間に隙間が確保される。
【００２３】
芯材が一枚の板片からなり、この一枚の板片が、縦長の台形もしくは縦長の三角形の形状を有するか、又は、この台形もしくは三角形の斜辺に複数の段部を形成した形状を有するものであると、ドレンホースの先端部を芯材に外嵌挿したときに、ドレンホースの先端部の内部に大きい通水空隙を確保することができ、外嵌挿されるドレンホースの内径に合致した台形もしくは三角形の板片の横幅のところまで、又は、段部のところまで、ドレンホースの先端部が外嵌挿されて横方向及び下方向に移動しないように接続固定される。
【００２４】
芯材が、放射状に集束されて一体に形成された３枚以上の板片からなるものであって、各板片が、一辺が垂直辺とされた縦長の台形もしくは一辺が垂直辺とされた縦長の直角三角形の形状を有するか、又は、この台形もしくは直角三角形の斜辺に複数の段部を形成した形状を有し、垂直辺を中心として放射状に集束されて一体に形成されたものであると、ドレンホースの先端部を芯材に外嵌挿したときに、ドレンホースの先端部の内部の各板片相互間に通水空隙を確保することができ、外嵌挿されるドレンホースの内径に合致した上記芯材の外径のところまで、又は、上記芯材の各板片の段部のところまで、ドレンホースの先端部が外嵌挿されて横方向及び下方向に移動しないように接続固定される。
【００２５】
そして、芯材が上流側に傾斜して立設されていると、この芯材に外嵌挿されるドレンホースが傾斜したり、湾曲してホース先端部のホース開口がドレン排水溝の下流側に向くように傾斜するので、ドレン水がよりスムーズに排水される。
【発明を実施するための最良の形態】
【００２６】
以下、図面を参照して本発明の具体的な実施形態を詳述する。
【００２７】
図１は本発明に係る第一のドレンホース接続具の一実施形態を示す斜視図、図２は同ドレンホース接続具とドレン排水溝の溝部材との寸法関係を説明する斜視図、図３は同ドレンホース接続具の一使用例を示す斜視図、図４は同ドレンホース接続具を用いてドレンホースとドレン排水溝を接続した部分の断面図、図５の（ａ）及び（ｂ）はドレン排水溝の溝部材の平面図及び端面図、図５の（ｃ）及び（ｄ）はドレン排水溝の蓋部材の平面図及び端面図である。
【００２８】
この第一のドレンホース接続具１１は、図３に示すようにドレン排水溝２０の上流側の端面に取付けられるものであって、図１に示すように、底壁１ａと、芯材１ｂを囲み且つドレン排水溝２０の溝部材２１の下流側に向けてドレン水を排出する下流側開放部１ｃが設けられたコ字形の囲み壁１ｄと、この囲み壁１ｄの内側に位置して底壁１ａから立設された上記芯材１ｂと、この囲み壁１ｄの上流側壁部１ｅの下部から芯材１ｂに至る突出部１ｇとを、熱可塑性合成樹脂で一体に射出成形したものである。
【００２９】
図２から判るように、ドレンホース接続具１１の底壁１ａの幅寸法Ｗ11は、ドレン排水溝の溝部材２１の底壁２１ａの幅寸法Ｗ21に等しく、ドレンホース接続具１１の底壁１ａの厚さＴ11は、溝部材２１の底壁２１ａの厚さＴ21に等しく、ドレンホース接続具１１の囲み壁１ｄの両側壁部１ｆ，１ｆの相互間隔Ｉ11は、溝部材２１の両側堤部２１ｃ，２１ｃの相互間隔Ｉ21に等しく、囲み壁１ｄの両側壁部１ｆ，１ｆの下流側端の高さＨ11は、溝部材２１の側堤部２１ｃの高さＨ21に等しく設定されている。そして、ドレンホース接続具１１の囲み壁１ｄの両側壁部１ｆ，１ｆより外側の底壁部分、即ち、両外側のフランジ部１ｈ，１ｈの形状は、溝部材２１の両側堤部２１ｃ，２１ｃより外側の底壁部分、即ち、両外側のフランジ部２１ｄ，２１ｄと同じ形状とされており、このドレンホース接続具１１を溝部材２１の上流側の端面に取付けると、溝部材２１のフランジ部２１ｄ，２１ｄとドレンホース接続具１１のフランジ部１ｈ，１ｈが連続し、溝部材２１の底壁２１ａとドレンホース接続具１１の底壁１ａが連続し、溝部材２１の両側堤部２１ｃ，２１ｃとドレンホース接続具１１の囲み壁１ｄの両側壁部１ｆ，１ｆが連続して、溝部材２１とドレンホース接続具１１が一体に形成されたような外観を呈するようになっている。
【００３０】
図４に示すように、ドレンホース接続具１１の芯材１ｂは、ドレンホース３の先端部３ａがその内部に通水空隙Ｖを確保して外嵌挿されるものであって、この実施形態では、市販のドレンホースの中で内径が最も小さいと思われるドレンホースの該内径よりも更に小さい外径を有する丸棒形状、具体的には外径が３〜１０ｍｍ程度の丸棒形状に形成されている。そのため、市販のドレンホースであればどのような太さ（内径）のものでも、芯材１ｂに外嵌挿して接続できるようになっている。この芯材１ｂは、囲み壁１ｄの中央ないしは少し上流側（下流側開放部１ｃと反対側）に位置させて底壁１ａから立設することが好ましく、また、芯材１ｂの高さは、ドレンホース３の先端部３ａが簡単に抜けないように３〜１５程度とすることが好ましい。芯材１ｂの形状は、この実施形態のような丸棒形状に限らず、角棒形状その他の種々の形状となし得るが、これについては後で詳しく説明する。
【００３１】
囲み壁１ｄの上流側壁部１ｅの下部から芯材１ｂまで突き出す突出部１ｇは、図４に示すように、ドレンホース３の先端（下端）を係止させることによって、ドレンホース接続具１１の底壁１ａの上面とドレンホース３の先端との隙間を確保し、ドレン水の排水が妨げられないようにするスペーサの役目を果たすものである。このような突出部１ｇは、囲み壁１ｄの側壁部１ｆから突設してもよいが、ドレン水の排水の妨げにならないように上流側壁部１ｅから突設することが好ましい。底壁１ａの上面とドレンホース３の先端との間に形成される隙間の距離、つまり突出部１ｇの高さ（底壁１ａから突出部１ｇの上面までの高さ）は、５ｍｍ〜２ｃｍ程度であれば、ドレンホース３からの排水を妨げなくなるので好ましい。尚、この突出部１ｇは省略可能であり、省略する場合は、ドレンホース３の先端とドレンホース接続具の底壁１ａとの間に隙間が形成されるようにドレンホース３の先端を斜めに切断したり、最先端の一部をコ字状に切り欠くなどして対処してもよい。
【００３２】
また、囲み壁１ｄは、ドレンホース３から流れ落ちたドレン水が上流側や両側に流出したり飛散したりするのを防止するものであって、囲み壁１ｄの上流側壁部１ｅは溝部材２１の側堤部２１ｃよりも高く形成されており、囲み壁１ｄの両側壁部１ｆ，１ｆは上流側端から下流側端に近づくほど高さが減少して下流側端では溝部材２１の側堤部２１ｃと同じ高さＨ11に形成されている。もっとも、ドレン水の飛散防止効果を高めるために、両側壁部１ｆ，１ｆの高さを一様に上流側壁部１ｅと同じ高さにしてもよい。囲み壁１ｄは、必ずしも本実施形態のようなコ字形に形成する必要はなく、例えば、上流側壁部１ｅを半環状に形成して横向きのＵ字形の囲み壁とするなど、上流側及び両側へのドレン水の流出や飛散を防止できる形状であれば所望の形状となし得るものである。
【００３３】
ドレンホース接続具１１を上流側端面に取付けるドレン排水溝２０は、図５の（ａ），（ｂ）に示すような合成樹脂製の溝部材２１と、図５の（ｃ），（ｄ）に示すような合成樹脂製の蓋部材２２からなるものである。
【００３４】
溝部材２１は、縦長の底壁２１ａの左右両側に全長に亘って側堤部２１ｃ，２１ｃを形成したもので、この側堤部２１ｃ，２１ｃの相対向する内側面の下端には、蓋部材２２の左右両側のフランジ部２２ａ，２２ａを挿入する凹条２１ｅ，２１ｅが形成されており、また、溝底面２１ｂ（底壁２１ａの上面）には、少量のドレン水でもスムーズに流れるように多数の細溝部２１ｆが形成されている。尚、２１ｄは両側堤部２１ｃ，２１ｃの外側のフランジ部であり、ドレン排水溝２０がベランダ床面４に敷設した床シート（不図示）間に設けられる場合に、床シートとの間で段差が生じないように、両側堤部２１ｃ，２１ｃの外側のフランジ部２１ｄは床シートの厚み相当分だけ高くなっている。この外側のフランジ部２１ｄと床シート端面とを、溶接やコーキングなどによって一体的に接合することで、ベランダ床面４への防水が図れるようになっている。
【００３５】
一方、蓋部材２２は、偏平なハット形状の断面を有するもので、左右両側には一段低いフランジ部２２ａ，２２ａが形成されており、上面には防滑効果、補強効果、意匠効果、排水効果等を発揮する３本の細帯状のリブ２２ｂが形成されている。そして、蓋部材２２の裏面には、耐荷重を向上させるための３つの支持片２２ｃが形成されている。この蓋部材２２は、左右のフランジ部２２ａ，２２ａを溝部材２１の凹条２１ｅ，２１ｅに挿入することによって、溝部材２１の両側堤部２１ｃ，２１ｃの相互間の上面開口部を覆うように溝部材２１に取付けられる。尚、蓋部材２２は軟質塩化ビニルやポリエチレン、エラストマーなどのような変形可能な合成樹脂等を用いて形成することで、蓋部材２２を変形させて上部からフランジ部２２ａ，２２ａを溝部材２１の凹条２１ｅ，２１ｅにセットすることもできる。
【００３６】
次に、上記のドレンホース接続具１１とドレン排水溝２０を用いて、図３に示すようなドレン排水設備を屋外のベランダ等に施工する場合について説明する。
【００３７】
まず、上記溝部材２１の凹条２１ｅ，２１ｅに上記蓋部材２２のフランジ部２２ａ，２２ａをセットし、溝部材２１の両側堤部２１ｃ，２１ｃの相互間の上面開口部を蓋部材２２で覆うように蓋部材２２を溝部材２１に取付けることによって、ドレン排水溝２０を組み立てる。次いで、このドレン排水溝２０を図３に示すようにベランダ床面４の片側の一辺沿いに配置して、その下流側の端面開口部をベランダの排水溝４ａに臨ませると共に、ドレン排水溝２０の上流側端にドレンホース接続具１１を配置し、接着剤等でドレン排水溝２０の溝部材２１とドレンホース接続具１１を床面４に接着すると同時に、ドレン排水溝２０の溝部材２１の上流側端面にドレンホース接続具１１を連続した状態で接着して取付ける。このとき、ドレンホース接続具１１の囲み壁１ｄと家屋外壁面５との間にはコーキング剤等を詰めることが好ましい。そして、図３，図４に示すように、屋内の冷房機や空調機から引き出したドレンホース３の先端部３ａを、その内部に通水空隙Ｖを確保してドレンホース接続具１１の芯材１ｂに外嵌挿すると共に、ドレンホース３の先端（下端）をドレンホース接続具１１の突出部１ｇに係止させることによって、ドレンホース３を取付け、ドレン排水設備の施工を完了する。
【００３８】
上記のようにドレンホース接続具１１の芯材１ｂにドレンホース３の先端部３ａを外嵌挿して接続すると、既述したように、この芯材１ｂは市販のドレンホースの中で内径が最も小さいと思われるドレンホースの該内径よりも更に小さい外径を有するものであるため、市販のドレンホースであればどのような太さ（内径）のものでも、芯材１ｂに外嵌挿して接続することができる。そして、接続されたドレンホース３の内部を流下するドレン水は、ホース先端部３ａの内部に確保された通水空隙Ｖを通ってドレンホース接続具１１の底壁１ａの上面に流れ落ち、囲み壁１ｄの下流側開放部１ｃからドレン排水溝２０の溝部材２１の下流側に流れてベランダの排水溝４ａへ排水されると共に、囲み壁１ｄによって上流側や両側へのドレン水の流出、飛散が防止される。しかも、ドレンホース３の先端がスペーサの役目を果たす突出部１ｇに係止され、ドレンホース接続具１１の底壁１ａとドレンホース３の先端との隙間が確保されるので、ドレン水の排水が妨げられることもない。
【００３９】
図６は本発明に係る第一のドレンホース接続具の他の実施形態を示す縦断面図、図７は同ドレンホース接続具をドレン排水溝の溝部材の上流側端面に取付けた状態の縦断面図である。
【００４０】
このドレンホース接続具１２は、前記のドレンホース接続具１１と同様にドレン排水溝の溝部材２１の上流側端面に取付けられるものであって、底壁１ａ（囲み壁１ｄで囲まれた底壁部分）が厚く形成されており、底壁１ａの上面１ｉが囲み壁１ｄの上流側壁部１ｅから下流側開放部１ｃに向かって徐々に低くなるように傾斜している。そして、この下流側開放部１ｃが形成された下流側の底壁端部から、底壁１ａの上面１ｉと面一に傾斜する上面を備えた舌部１ｊが延設されている。この舌部１ｊは、図７に示すように、底壁１ａの下流側端部において、溝部材２１の底壁２１ａの厚さに相当する高さ位置に形成されており、この舌部１ｊの下面は水平面とされている。
【００４１】
このドレンホース接続具１２の他の構成は、前述したドレンホース接続具１１のそれと同様であるので、図６，図７において同一部材に同一符号を付すにとどめ、重複する説明は省略する。尚、図６，図７には表れていないが、このドレンホース接続具１２においても、囲み壁１ｄの両側壁部１ｆの外側には、前記ドレンホース接続具１１のフランジ部１ｈと同様のフランジ部が形成されている。
【００４２】
このようなドレンホース１２は、図７に示すように、舌部１ｊを溝部材２１の溝底面２１ｂの上流側端に重ねた状態で溝部材２１の上流側端面に接着されて取付けられる。そのため、接着剤が舌部１ｊで押さえられて、溝部材２１の底壁２１ａとドレンホース接続具１２の底壁１ａとの間から上方へ隆起状にはみ出すことがなくなり、ドレンホース接続具１２から溝部材２１へのドレン水の流れがスムーズになる。しかも、ドレンホース接続具１２の底壁１ａの上面１ｉが上記のように傾斜しているため、ドレンホース３から流れ落ちたドレン排水が底壁１ａの傾斜した上面１ｉを囲み壁の下流側開放部１ｃに向かってスムーズに流れ、下流側開放部１ｃから舌部１ｊの面一に傾斜した上面を流れて、すみやかに溝部材２１へ排水される。尚、このドレンホース接続具１２も、前述したドレンホース接続具１１と同様の作用効果を奏することは言うまでもない。尚、本実施形態では、ドレンホース接続具１２の底壁１ａの上面１ｉを真直ぐな面としているが、底壁１ａの上面１ｉは囲み壁の下流側開放部１ｃに向かって傾斜しておれば、曲面状や球面状であってもよいことは言うまでもない。
【００４３】
図８は本発明に係る第一のドレンホース接続具の更に他の実施形態を示す縦断面図である。
【００４４】
このドレンホース接続具１３は、芯材１ｂが上流側に傾斜して立設されている点を除いて、上記のドレンホース接続具１２と同様に構成されたものである。従って、図８において同一部材に同一符号を付すにとどめ、重複する説明は省略する。
【００４５】
このようなドレンホース接続具１３は、上記のドレンホース接続具１２が奏する作用効果に加えて、上流側に傾斜して立設された芯材１ｂに外嵌挿されるドレンホース３が傾斜したり、湾曲し、ホース先端部３ａが下流側に傾斜して接続されるため、ドレン水がよりスムーズに排水されるという利点がある。
【００４６】
尚、前述したドレンホース接続具１１や、後述するドレンホース接続具１４，１５，１６において、芯材１ｂを上記のように上流側に傾斜させて立設してもよいことは言うまでもない。
更に、本実施形態では、傾斜して立設された芯材１ｂが丸棒形状となっているが、傾斜して立設された芯材１ｂが後述するような形態（図１１〜図１３）であっても、芯材１ｂを傾斜して立設することで、同様にドレン水がよりスムーズに排水されるという作用効果を奏するので好ましく採用される。
つまり、芯材１ｂが、一枚の板片で、縦長の台形又は縦長の三角形の形状を有するか、又は、この台形もしくは三角形の斜辺に複数の段部を形成した形状を有するものであって、板片の幅方向が、上流側から下流側への排水の流れ方向と平行に形成されている場合は、板片を形成している台形もしくは三角形の中心軸が上流側に傾斜して立設（不図示、台形もしくは三角形の下流側の稜線と水平面との挟角が、上流側の稜線と水平面との挟角より小さくなるようにする）させればよい。
芯材１ｂが放射状に集束されて一体に形成された３枚以上の板片からなっていて、各板片が、縦長の台形もしくは縦長の三角形の形状を有するか、又は、この台形もしくは三角形の斜辺に複数の段部を形成した形状を有し、放射状に集束されて一体になって形成されたものである場合においては、集束の中心となる軸を上流側に傾斜させればよい（不図示）。
【００４７】
図９は本発明に係る第一のドレンホース接続具の更に他の実施形態を示す斜視図、図１０はドレンホースを接続した同ドレンホース接続具の縦断面図である。
【００４８】
このドレンホース接続具１４は、前述したドレンホース接続具１１と同様にドレン排水溝の溝部材２１の上流側端面に取付けられるものであって、囲み壁１ｄの上流側壁部１ｅの下部から芯材１ｂに向かって突き出す突出部１ｇの上面に、挟持片１ｋが立設されている。この挟持片１ｋは芯材１ｂとの間にドレンホース３の先端部３ａの周壁を挟持するもので、挟持片１ｋの上端部には爪部１ｍが芯材１ｂに向かって突設されており、この爪部１ｍと芯材１ｂとの間隔がドレンホース３の肉厚（周壁の厚さ）と同一か、もしくは若干狭く設定されている。
【００４９】
このドレンホース接続具１４の他の構成は、前述したドレンホース接続具１１のそれと同様であるので、図９，図１０において同一部材に同一符号を付すにとどめ、重複する説明は省略する。尚、このドレンホース接続具１４においても、囲み壁１ｄの両側壁部１ｆの外側には、前述したドレンホース接続具１１のフランジ部１ｈと同様のフランジ部が形成されている。
【００５０】
上記のドレンホース接続具１４は、図１０に示すように、ドレンホース３の先端部３ａが芯材１ｂに外嵌挿され、ドレンホース３の先端（下端）が突出部１ｇに係止されると共に、ホース先端部３ａの周壁が芯材１ｂと挟持片１ｋの爪部１ｍとで内外から挟持されて、ドレンホース３が接続される。このようにドレンホース先端部３ａの周壁が芯材１ｂと挟持片１ｋの爪部１ｍで挟持されると、ドレンホース先端部３ａの横方向の移動が阻止されてドレンホース先端部３ａの接続安定性が向上し、また、ドレンホース３に上向きの引抜き力が作用した場合でも、ドレーンホース先端部３ａが芯材１ｂから容易に引き抜かれることはない。特に、ドレンホース３がコルゲート管のような凹凸表面を有するホースであると、挟持片１ｋの爪部１ｍがドレンホース表面の凸部に引掛かるので、一層引き抜かれ難くなる。また、ドレンホース先端部３ａの周壁の厚さが多少大きくても、それに応じて挟持片１ｋが弾性的に曲げ変形して芯材１ｂと爪部１ｍとの間隔が拡張するので、確実に挟持することができる。尚、このドレンホース接続具１４も、前述したドレンホース接続具１１と同様の作用効果を奏することは言うまでもない。
【００５１】
上記のドレンホース接続具１４では、挟持片１ｋを突出部１ｇの上面から立設しているが、突出部１ｇを省略するときは、底壁１ａから挟持片１ｋを立設すればよい。その場合は、挟持片１ｋがドレン水の流れを妨げないように、且つ、ドレンホース３の先端部３ａが囲み壁１ｄのほぼ中央に位置するように、挟持片１ｋを芯材１ｂの上流側に立設することが好ましい。
【００５２】
上記のような爪部１ｍを有する挟持片１ｋは、前述したドレンホース接続具１２，１３にも設けることが好ましく、また、後述するドレンホース接続具１５，１６にも設けることが好ましい。
【００５３】
以上のドレンホース接続具１１，１２，１３，１４は、いずれも芯材１ｂが丸棒形状であるが、芯材は図１１〜図１３に例示するような種々の形状とすることができる。
【００５４】
即ち、図１１の（ａ）に示す芯材１ｂは一枚の矩形状の板片１ｐからなるものであり、（ｂ）に示す芯材１ｂは、三枚の矩形状の板片１ｐが１２０°の角度で放射状に集束されて一体に形成されたものであり、（ｃ）に示す芯材１ｂは、四枚の矩形状の板片１ｐが９０°の角度で放射状に集束されて一体に形成されたものである。（ａ）に示す芯材１ｂは、これにドレンホースの先端部を外嵌挿すると、矩形状の板片１ｐの両側に大きい通水空隙を確保でき、（ｂ）（ｃ）に示す芯材１ｂ，１ｂは、いずれも矩形状の板片１ｐと板片１ｐの間に大きい通水空隙を確保できる利点がある。
【００５５】
図１２の（ａ）（ｂ）（ｃ）に示す芯材１ｂは、いずれも下拡がり形状の芯材である。即ち、図１２の（ａ）に示す芯材１ｂは、縦長の二等辺台形の形状を有する一枚の板片１ｑからなるものであり、（ｂ）に示す芯材１ｂは、一辺を垂直辺とした縦長の台形の形状を有する三枚の板片１ｒが垂直辺を中心として１２０°の角度で放射状に集束されて一体に形成されたものであり、（ｃ）に示す芯材１ｂは、一辺を垂直辺とした縦長の台形の形状を有する四枚の板片１ｒが垂直辺を中心として９０°の角度で放射状に集束されて一体に形成されたものである。これらの下拡がり形状の芯材１ｂは、ドレンホースの先端部３ａを外嵌挿したとき、大きい通水空隙を確保できることに加えて、ドレンホースの先端部３ａがその内径に合致する各芯材１ｂの外径のところまで外嵌挿されて、横方向及び下方向に移動しないように接続固定される利点がある。
【００５６】
図１３の（ａ）（ｂ）（ｃ）に示す芯材１ｂも、下拡がり形状の芯材である。即ち、図１３の（ａ）に示す芯材１ｂは、縦長の二等辺台形の形状を有する一枚の板片１ｑの斜辺に複数の段部１ｓが形成されたものであり、（ｂ）に示す芯材１ｂは、一辺を垂直辺とした縦長の台形の形状を有する三枚の板片１ｒが垂直辺を中心として１２０°の角度で放射状に集束されて一体に形成されると共に、各板辺１ｒの斜辺に複数の段部１ｓが形成されたものであり、（ｃ）に示す芯材１ｂは、一辺を垂直辺とした縦長の台形の形状を有する四枚の板片１ｒが垂直辺を中心として９０°の角度で放射状に集束されて一体に形成されると共に、各板辺１ｒの斜辺に複数の段部１ｓが形成されたものである。これらの下拡がり形状の芯材１ｂは、ドレンホースの先端部３ａを外嵌挿したとき、大きい通水空隙を確保できることに加えて、ドレンホースの先端部３ａがその内径に合致する各芯材１ｂの板辺の段部１ｓまで外嵌挿されて係止され、横方向及び下方向に移動しないように接続固定される利点がある。
【００５７】
上記のような芯材１ｂを立設するときは、板片の方向を考慮してドレン水の流れを妨げないようにすることが大切である。例えば、図１３の（ａ）に示す芯材１ｂを立設する場合は、図１４の（ａ）に示すように、一枚の板片１ｑの幅方向が上流側から下流側への排水の流れ方向と平行な方向になるように立設し、つまりドレンホース接続具の囲み壁１ｄの上流側壁部１ｅと直角方向となるように、更に言うならば、囲み壁１ｄの両側壁部１ｆ，１ｆと平行な方向となるようにして、ドレン水が板片１ｑで妨げられることなく底壁１ａの上面を下流側開放部１ｃの方に流れて排出されるようにすることが大切である。図１１の（ａ）や図１２の（ａ）に示す芯材１ｂを立設する場合も同様である。また、図１３の（ｂ）に示す芯材１ｂを立設する場合は、図１４の（ｂ）に示すように、三枚の板片１ｑのうちの上流側の一枚の板片１ｑの幅方向が排水の流れ方向と平行な方向となるように、つまりドレンホース接続具の囲み壁１ｄの上流側壁部１ｅと直角方向となるようにし、且つ、他の二枚の板片１ｑ，１ｑが下流側開放部１ｃに向かって斜め方向となるように立設して、ドレン水が三枚の板片１ｑで大きく妨げられることなく底壁１ａの上面を下流側開放部１ｃの方に流れて排出されるようにすることが大切である。
【００５８】
尚、図１２の（ａ）に示す芯材１ｂの板片１ｑは、必ずしも二等辺台形である必要はなく、不等辺台形であってもよい。同様に、図１３の（ａ）に示す芯材１ｂも、二等辺台形の板片１ｑの斜辺に複数の段部１ｓを形成したものである必要はなく、不等辺台形の板片の斜辺に複数の段部１ｓを形成したものでもよい。
【００５９】
また、下拡がり形状の芯材１ｂは、縦長の二等辺三角形又は不等辺三角形の一枚の板片からなるものでもよく、更に、この板片の斜辺に複数の段部が形成されたものでもよい。そして、一辺を垂直辺とした縦長の直角三角形の複数枚の板片が垂直片を中心として集束されて一体に形成されたものでよく、更に、これらの板片の斜辺に複数の段部が形成されたものでもよい。
【００６０】
図１５は本発明に係る第二のドレンホース接続具の一実施形態と、ドレン排水溝の溝部材を分離して示す斜視図、図１６は同ドレンホース接続具を溝部材の溝底面に取付けた状態の縦断面図である。
【００６１】
この第二のドレンホース接続具１５は、ドレン排水溝の溝部材２１の上流側の溝底面２１ｂに取付けられるものであって、芯材１ｂを囲み且つドレン排水溝の下流側にドレン水を排出する下流側開放部１ｃが設けられたコ字形の囲み壁１ｄと、この囲み壁１ｄの上流側壁部１ｅの下部から内側に突設された突出部１ｇと、この突出部１ｇの先端から立設され且つドレンホース３の先端部３aがその内部に通水空隙Ｖを確保して外嵌挿される上記芯材１ｂとを、合成樹脂で一体に形成したものである。このドレンホース接続具１５は、溝部材２１の溝底面に取付けられるため、底壁や、囲み壁１ｄの両外側のフランジ部は形成されていない。
【００６２】
芯材１ｂは、前述したドレンホース接続具１１の芯材１ｂと同様に、市販のドレンホースの中で内径が最も小さいと思われるドレンホースの該内径よりも更に小さい外径を有する丸棒形状、具体的には外径が３〜１０ｍｍで、高さが３〜１０ｃｍ程度の丸棒形状に形成されており、そのため、市販のドレンホースであればどのような太さ（内径）のものでも、芯材１ｂに外嵌挿して接続できるようになっている。尚、芯材１ｂとして、前述した図１１〜図１３のような種々の形状の芯材を立設してもよいことは言うまでもない。
【００６３】
また、囲み壁１ｄも、前述したドレンホース接続具の囲み壁１ｄと同様に、上流側壁部１ｅと両側壁部１ｆ，１ｆとからなるコ字形の囲み壁とされ、ドレン水を排出する下流側開放部１ｃが形成されている。囲み壁１ｄの両側壁部１ｆ，１ｆの下流側端の高さＨ15は、溝部材２１の側堤部２１ｃの高さＨ21に等しく設定されており、両側壁部１ｆ，１ｆの外側面間の幅寸法Ｗ15は、溝部材２１の両側堤部２１ｃ，２１ｃの内側面間の幅寸法Ｗ21に等しく設定されている。従って、このドレンホース接続具１５は、上方から溝部材２１の両側堤部２１ｃ，２１ｃの間に嵌め込まれ、図１６に示すように、溝部材２１の上流側の溝底面２１ｂに接着剤などで取付固定されるようになっている。
【００６４】
上記のようにドレンホース接続具１５を溝部材の上流側の溝底面２１ｂに取付けて、ドレンホース３の先端部３ａを芯材１ｂに外嵌挿して接続すると、ドレンホース３の内部を流下するドレン水は、ホース先端部３ａの内部に確保された通水空隙を通ってドレン排水溝の溝部材２１の溝底面２1ｂに流れ落ち、囲み壁１ｄの下流側開放部１ｃから溝部材２１の下流側へ排水されると共に、囲み壁１ｄによって溝部材２１の上流側への逆流及び側方への飛散が防止される。また、囲み壁１ｄの内側に突設された突出部１ｇにドレンホース３の先端が係止されて、溝部材２１の溝底面２１ｂとドレンホース３の先端との隙間が確保されるので、ドレン水の排水が妨げられることもない。
【００６５】
尚、このドレンホース接続具１５が溝部材２１の上流側の中間部の溝底面２１ｂに取付けられる場合は、ドレンホース接続具１５の上流側及び下流側の溝部材２１の上面開口部が蓋部材２２で覆われ、溝部材２１の凹条２１ｅ，２１ｅがこれに嵌合された蓋部材２２のフランジ部２２ａ，２２ａで閉塞されるため、ドレン水が溝部材の凹条２１ｅ，２１ｅを通って上流側へ逆流することはない。けれども、ドレンホース接続具１５が溝部材の上流側端部の溝底面２１ｂに取付けられる場合は、凹条２１ｅ，２１ｅを通ってドレン水が逆流して上流側端から流出することも考えられる。従って、その場合は、ドレンホース接続具１５を溝底面に接着する接着剤で溝部材２１の凹条２１ｅ，２１ｅを閉塞して、逆流を防止することが望ましい。
【００６６】
図１７は本発明に係る第二のドレンホース接続具の他の実施形態と、ドレン排水溝の溝部材を分離して示す斜視図、図１８は同ドレンホース接続具を溝部材の溝底面に取付けた状態の縦断面図である。
【００６７】
このドレンホース接続具１６も溝部材２１の上流側の溝底面２１ｂに取付られるものであって、囲み壁１ｄの下端内側に底壁１ａが形成されている点、及び、囲み壁１ｄの両側壁部１ｆ，１ｆの外側面の下部に、溝部材２１の凹条２１ｅ，２１ｅに対して嵌合される凸部１ｎ，１ｎが形成されている点を除いて、前述したドレンホース接続具１５と同様に構成されている。そして、底壁１ａの上面１ｉは、囲み壁１ｄの上流側壁部１ｅから下流側開放部１ｃに向かって徐々に低くなるように傾斜し、底壁１ａの下流側端は刃先のように薄くなっている。
【００６８】
このようなドレンホース接続具１６は、その左右の凸部１ｎ，１ｎを溝部材２１の凹条２１ｅ，２１ｅに溝部材２１の上流側端から挿入して嵌合させるだけで（ドレンホース接続具１６が変形可能な材質で形成されている場合は、ドレンホース接続具１６を変形させることで、上方から、ドレンホース接続具１６の左右の凸部１ｎ，１ｎを溝部材２１の凹条２１ｅ，２１ｅに嵌合させることができる）、ドレンホース接続具１６を溝部材２１の溝底面２１ｂに接着剤で接着固定しなくても、上方に外れないように取付けることができ、このように取付けると、溝部材２１の凹条２１ｅ，２１ｅがドレンホース接続具１６の凸部１ｎ，１ｎで閉塞されるため、ドレン水が凹条２１ｅ，２１ｅを通って上流側へ流出する心配もなくなる。そして、芯材１ｂには種々の太さのドレンホース３の先端部３ａが外嵌挿されて接続され、接続されたドレンホース３から底壁１ａに流れ落ちたドレン水は、傾斜した底壁上面１ｉを速やかに流れて下流側開放部１ｃから溝底面２１ｂへスムーズに排水される。
【００６９】
尚、上記の凸部１ｎ，１ｎは、前述したドレンホース接続具１５において、囲み壁１ｄの両側壁部１ｆ，１ｆの外側面の下部に形成してもよく、その場合は、上記と同様に溝部材２１の凹条２１ｅ，２１ｅを通じてのドレン水の流出を防止できる利点がある。
【００７０】
本発明に係る第三のドレンホース接続具の好ましい実施形態は、図１７，図１８に示すドレンホース接続具１６において、突出部１ｇを省略したものである。即ち、第三のドレンホース接続具は、ドレン排水溝の溝部材の上流側の溝底面に取付けられるものであって、ドレン排水溝の下流側にドレン水を排出する下流側開放部が設けられたコ字形の囲み壁と、この囲み壁の下端内側に形成された底壁と、囲み壁の内側に位置して底壁から立設され且つドレンホースの先端部がその内部に通水空隙を確保して外嵌挿される芯材とを、合成樹脂で一体に成形したものである。
【００７１】
このような第三のドレンホース接続具においては、前述した爪部１ｍを有する挟持片１ｋを底壁から立設してもよいし、芯材を図１１〜図１３に示す種々の形状のものに変更してもよいし、芯材を上流側に傾斜させて立設してもよい。
【００７２】
以上のドレンホース接続具１１，１２，１３，１４，１５，１６については、上方が開放されたものを例示して説明したが、接続されるドレンホースが干渉しない程度の大きさの開口を有する天面壁を設けてもよく、或いはドレンホースが干渉しない程度の大きさの開口を有しドレンホース接続具に着脱自在に装着できる蓋体を設けてもよい（何れも不図示）。こられの天面壁や蓋体を設けることで、ドレン排水溝内に侵入するゴミや埃を抑え、ゴミなどによるドレン排水溝の閉塞を防止することができる。
【００７３】
また、ドレンホース接続具１１，１２，１３，１４，１５，１６は、芯材が１つのもののみを例示して説明したが、芯材が複数設けられたドレンホース接続具としてもよく、複数の芯材を設けることで複数のドレンホースをドレン排水溝に接続することができる。
【図面の簡単な説明】
【００７４】
【図１】本発明に係る第一のドレンホース接続具の一実施形態を示す斜視図である。
【図２】同ドレンホース接続具とドレン排水溝の溝部材との寸法関係を説明する斜視図である。
【図３】同ドレンホース接続具の一使用例を示す斜視図である。
【図４】同ドレンホース接続具を用いてドレンホースとドレン排水溝を接続した部分の断面図である。
【図５】（ａ）及び（ｂ）はドレン排水溝の溝部材の平面図及び端面図であり、（ｃ）（ｄ）はドレン排水溝の蓋部材の平面図及び端面図である。
【図６】本発明に係る第一のドレンホース接続具の他の実施形態を示す縦断面図である。
【図７】同ドレンホース接続具をドレン排水溝の溝部材の上流側端面に取付けた状態の縦断面図である。
【図８】本発明に係る第一のドレンホース接続具の更に他の実施形態を示す縦断面図である。
【図９】本発明に係る第一のドレンホース接続具の更に他の実施形態を示す斜視図である。
【図１０】ドレンホースを接続した同ドレンホース接続具の縦断面図である。
【図１１】（ａ）（ｂ）（ｃ）はそれぞれ芯材の形状が異なる他の例を示す斜視図である。
【図１２】（ａ）（ｂ）（ｃ）はそれぞれ芯材の形状が異なる更に他の例を示す斜視図である。
【図１３】（ａ）（ｂ）（ｃ）はそれぞれ芯材の形状が異なる更に他の例を示す側面図である。
【図１４】（ａ）は一枚の板片からなる芯材をドレンホース接続具の底壁から立設する場合の板片の方向について説明する平面図、（ｂ）は放射状に集束され一体に形成された三枚の板片からなる芯材をドレンホース接続具の底壁から立設する場合の各板片の方向について説明する平面図である。
【図１５】本発明に係る第二のドレンホース接続具の一実施形態と、ドレン排水溝の溝部材を分離して示す斜視図である。
【図１６】同ドレンホース接続具を溝部材の溝底面に取付けた状態の縦断面図である。
【図１７】本発明に係る第二のドレンホース接続具の他の実施形態と、ドレン排水溝の溝部材を分離して示す斜視図である。
【図１８】同ドレンホース接続具を溝部材の溝底面に取付けた状態の縦断面図である。
【符号の説明】
【００７５】
１ａ  底壁
１ｂ  芯材
１ｃ  下流側開放部
１ｄ  囲み壁
１ｇ  突出部
１ｉ  底壁の上面
１ｊ  舌部
１ｋ  挟持片
１ｍ  爪部
１ｐ  矩形状の板片
１ｑ  縦長の二等辺台形の形状を有する板片
１ｒ  一辺を垂直辺とした縦長の台形の形状を有する板片
１ｓ  段部
１１，１２，１３，１４，１５，１６  ドレンホース接続具
２０  ドレン排水溝
２１  溝部材
２１ｂ  溝底面
２１ｃ  側堤部
２１ｅ  凹条
２２  蓋部材
３    ドレンホース
３ａ  ドレンホースの先端部
Ｖ    通水空隙
【図１】
2009243818.tif 000003
【図２】
2009243818.tif 000004
【図３】
2009243818.tif 000005
【図４】
2009243818.tif 000006
【図５】
2009243818.tif 000007
【図６】
2009243818.tif 000008
【図７】
2009243818.tif 000009
【図８】
2009243818.tif 000010
【図９】
2009243818.tif 000011
【図１０】
2009243818.tif 000012
【図１１】
2009243818.tif 000013
【図１２】
2009243818.tif 000014
【図１３】
2009243818.tif 000015
【図１４】
2009243818.tif 000016
【図１５】
2009243818.tif 000017
【図１６】
2009243818.tif 000018
【図１７】
2009243818.tif 000019
【図１８】
2009243818.tif 000020